(57)【特許請求の範囲】
【請求項１】
大コンテナーの側壁プレート（１）の下端と該側壁プレート（１）と一体となるベースプレート（２）の縦縁の間の結合部であって、
側壁プレート（１）及びベースプレート（２）が組み立て部品として生産されたサンドイッチ構造のプレートであり、
前記側壁プレート（１）の内側カバープレート（４）と外側カバープレート（３）との間にあるフォーム（５）は内側カバープレート（４）寄りにおいて、内側カバープレート（４）の下方縁部より高い位置で終わっており、
側壁プレート（１）とベースプレート（２）がつなぎ合わされた後に両プレート（１、２）間の移行領域にフォームが充填される自由空間があり、フォームが充填される移行領域は、ベースプレート（２）の上側カバープレート（７）と側壁プレート（１）の内側カバープレート（４）の間に設けられた内側カバー成形品（１３）と、側壁プレート（１）の外側カバープレート（３）とベースプレート（２）の下側カバープレート（６）の間に設けられた外側カバー成形品（１１）とで覆われており、
前記外側カバー成形品（１１）は側壁プレート（１）の外側カバープレート（３）及び前記外側カバープレート（３）と一体となるベースプレート（２）の前面とに外側から接しており、
前記内側カバー成形品（１３）は、側壁プレート（１）の前記フォーム（５）が高い位置で終わっている内側カバープレート（４）の内面に接し且つベースプレート（２）の上側カバープレート（７）の表面に接していることを特徴とする大コンテナーの側壁プレートの下端と該側壁プレートと一体となるベースプレートの縦縁の間の結合部。
【請求項２】
内側カバー成形品（１３）は平滑な帯状縁部を備え且つ側壁プレートの内側カバープレート（４）の内面とベースプレートの上側カバープレート（７）の上側に接していることを特徴とする請求項１に記載の結合部。
【請求項３】
ベースプレートの上側カバープレート（７）及び内側カバー成形品（１３）の互いに覆い、重なり合う縁領域が、ベースプレート（２）及び側壁プレート（１）に対して斜めにはしっていることを特徴とする請求項２に記載の結合部。
【請求項４】
上側カバープレート（７）及び内側カバー成形品（１３）の互いに覆い、重なり合う縁領域が、ベースプレート（２）に対して４５°の角度でベースプレート（２）及び側壁プレート（１）に対してに対して斜めにはしっていることを特徴とする請求項３に記載の結合部。
【請求項５】
内側カバー成形品（１３）は補強するような輪郭を与えられており、複数の縦リブ（１４）を形成していることを特徴とする請求項１乃至４の何れか一項に記載の結合部。
【請求項６】
内側カバー成形品（１３）の脚部が横断面において直角をなしており、且つベースプレート（２）と一体となる脚部が片側において上向きの枠縁を備えることを特徴とする請求項１に記載の結合部。
【請求項７】
内側カバー成形品（１３）と側壁プレートの内側カバープレート（４）及びベースプレートの上側カバープレート（７）の間の結合がリベットによって行われることを特徴とする請求項１乃至５の何れか一項に記載の結合部。
【請求項８】
リベットが爆発リベットであることを特徴とする請求項７に記載の結合部。
【請求項９】
内側カバー成形品（１３）のベースプレート側の脚部とベースプレートの上側カバープレート（７）の間の結合が内側のカバー成形品のベースプレート側の脚部の前面の前で溶接継手により行われることを特徴とする請求項６に記載の結合部。
【請求項１０】
内側カバー成形品（１３）と結合されるべきベースプレートの上側カバープレート（７）の縁が、ベースプレート（２）の本体部分に対して上方に移されており且つ内側カバー成形品（１３）の上側カバープレート（７）側の脚部がベースプレートの本体部分に対して上方に移された縁の内側エッジの近くまでのびていることを特徴とする請求項６又は９に記載の結合部。
【請求項１１】
内側カバー成形品（１３）の脚部が横断面においてフォーク状に形成されており、このフォーク状部内に側壁プレートの内側カバープレート又はベースプレートの上側カバープレートが挿入されていることを特徴とする請求項１乃至４の何れか一項に記載の結合部。
【請求項１２】
側壁プレートの内側カバープレート（４）乃至はベースプレートの上側カバープレート（７）が遊びなしに前記フォーク状部内に挿入されており、フォーク状部の領域に固定する手段を必要としないことを特徴とする請求項１１に記載の結合部。
【請求項１３】
側壁プレートの内側カバープレート（４）が内側カバー成形品（１３）のフォーク状部内に挿入され、側壁プレートの内側カバープレート（４）がフォーク状部の前で側壁プレート（１）の内側の方へ曲がっており、側壁プレートの内側カバープレート（４）の外面と外側から前記内側カバープレート（４）に接するカバー成形品（１３）の脚部の外側が垂直な一面に位置することを特徴とする請求項１１または１２に記載の結合部。
【請求項１４】
側壁プレート及びベースプレートが組み立て部品として生産されたサンドイッチ構造のプレートであり、両プレートがつなぎ合わされた後に両プレート間の移行領域にフォームが充填される自由空間があり、フォームが充填される移行領域は、ベースプレートの上側カバープレートと側壁プレートの内側カバープレートの間に設けられた内側カバー成形品と、側壁プレートの外側カバープレートとベースプレートの下側カバープレートの間に設けられた外側カバー成形品とで覆われた、請求項１乃至１３の何れか一項に記載の結合部を利用する、大コンテナーの側壁プレートの下端と該側壁プレートと一体となるベースプレートの縦縁の間の結合部の作製方法であって、
夫々フォームが充填された状態の側壁プレートとベースプレートを用意し、
前記側壁プレートの内側カバープレートと外側カバープレートとの間にあるフォームは内側カバープレート寄りにおいて、内側カバープレートの下方縁部より高い位置で終わらせておき、
前記側壁プレートとベースプレートを装置内の適切な位置に位置させ、
外側カバー成形品を、側壁プレートの外側カバープレート及びベースプレートの下側カバープレートに外側から接触するように配置して両カバープレートと結合し、
その後、内側カバー成形品を側壁プレートの内側カバープレート及びベースプレートの上側カバープレートに取り付け、その場合において側壁プレートのフォームが高い位置で終わっている内側カバープレートの内面に接する内側カバー成形品が構造物全体の範囲内に入るように側壁プレート、ベースプレート及び内側カバープレートの寸法を相対的に決定し、
その後、両カバー成形品と側壁プレート及びベースプレートの間の必須の結合を行い、次いで内側カバー成形品に設けた穴を通して液状の補強フォームまたはその成分を閉鎖されたまだ補強フォームの入っていない領域に入れ、その後補強フォームを硬化させて側壁プレート、ベースプレート及び両カバー成形品と堅固に結合させ、その後、開口部を、場合によりこの開口部内に留まる補強フォーム又は補強フォームの成分によって閉じることを特徴とする大コンテナーの側壁プレートの下端と該側壁プレートと一体となるベースプレートの縦縁の間の結合部の作製方法。
【発明の詳細な説明】
【０００１】
【産業上の利用分野】
本発明は、側壁プレート及びベースプレートが組み立て部品として大量生産されたサンドイッチ構造のプレートであり、つなぎ合わせる両プレートに続く両プレート間の移行領域にフォームが充填される自由空間があり、フォームが充填された移行領域は、ベースプレートの上側カバープレートと側壁プレートの内側カバープレートの間に設けられた内側カバー成形品と側壁プレートの外側カバープレートとベースプレートの下側カバープレートの間に設けられた外側カバー成形品とで覆われた大コンテナーの側壁プレートの下端と該側壁プレートと一体となるベースプレートの縦縁の間の結合部及びその作製方法に関する。
【０００２】
【従来の技術】
組み立て部品として大量生産されたサンドイッチ構造のプレートから大コンテナーを作製するとき、コンテナーの側壁用のサンドイッチ構造のプレートとベース用のサンドイッチ構造のプレートを作るとき、互いに一体にする縁部まではフォームを充填せずに、カバープレート間に形成される硬質フォームブロックをプレート縁部に対して内方で終わらせることが知られている。このような組み立て部品として大量生産されたベースプレート及び同様に組み立て部品として大量生産された側壁プレートは一つの型の中に入れられ、ベースプレート及び側壁プレートの補強フォームの前面間の領域に、型の壁部分によって一時的に覆われた自由空間が生ずる。そのように形成された全ての側が閉じられた室内に補強フォームの材料が入れられ、発泡せしめられる。硬化中に補強フォームは側壁及びベースの補強フォーム層の前面と堅固に結合するが、しかし型の壁部分とは特別の前処理によって結合しない。補強フォームは硬化し、側壁及びベースの補強フォーム層及び側壁及びベースのカバープレートの部分と堅固に結合したとき、型壁が除去され、ベースプレートの縁と側壁の間の縁を越えて導かれた、二つのカバープレートと横断する補強フォーム層からなる二重壁が存在するように移行領域に露出する補強フォーム体が厚板で覆われる。
【０００３】
また、補強フォームを形成する前に型内に補強フォームの外殻を入れて、コンテナーが型から取り出されるときか、又は型がコンテナーから除去されるとき、硬化中に補強フォームが前記外殻と結合し、結合部を存在するようにすることが知られている。
【０００４】
特に、サンドイッチ構造に作られ、互いに張り合わせられるコンテナーのベースプレートと側壁プレートの間のさしあたり自由な隅の領域へのフォームの充填が現場で（ｉｎ  ｓｉｔｕ）行われ、そのとき、ベースプレートと側壁プレートの間の移行壁はまだなく、工具のプレートによって補われ、そのようにして形成された中空室に発泡性材料が充填され、発泡性材料の硬化後に外側カバー成形品がフォーム体に張り付けられ、そのとき外側カバー成形品は側壁の外側カバープレートとベースプレートの一面に接して設けられる。内側カバー成形品がベースプレートの上側カバープレートの蝶番につるされ、側壁プレートの内側カバープレートの外面に接するようにおかれる（ＤＥ  ４０  ０３  ９２９）。内側カバー成形品が上げられている状態で、内側カバー成形品は移行領域及び場合により側壁プレートの内側カバープレートの補強フォームと張り合わせられるかまたはその他の適当な方法で結合される。内側カバー成形品が上げられている状態で、内側カバー成形品の上端は側壁プレートの内側カバープレートと共に凹溝または溝を形成しその溝内にパッキング紐（Ｄｉｃｈｔｓｃｈｎｕｒ  ）が押し込まれ、さらにフォーム補強層が積層されるかぎり、側壁に、また場合により、ベースにも流体が進入することを防止するように構成されている。この密封の必要不可欠な構成は、費用のかかるのみならず、作業時に作業器具が前記溝内に引っ掛かって動きが取れず、内側カバー成形品により形成された溝壁が広げられ、破壊することがあるので、危険の根源を形成する。
【０００５】
【発明が解決しようとする課題】
本発明が解決しようとする課題は、大コンテナーの側壁プレートとベースプレートの間の結合に関する特別に有効な解決策を提供することであり、コンテナー輪郭を越えて突き出ることのほとんどない結合部及びその作製方法を提供することである。
【０００６】
【課題を解決する手段】
本発明は上記の課題を解決するもので、大コンテナーの側壁プレートの下端と該側壁プレートと一体となるベースプレートの縦縁の間の結合部であって、
側壁プレート及びベースプレートが組み立て部品として生産されたサンドイッチ構造のプレートであり、
前記側壁プレートの内側カバープレートと外側カバープレートとの間にあるフォームは内側カバープレート寄りにおいて、内側カバープレートの下方縁部より高い位置で終わっており、
側壁プレートとベースプレートがつなぎ合わされた後に両プレート間の移行領域にフォームが充填される自由空間があり、フォームが充填される移行領域は、ベースプレートの上側カバープレートと側壁プレートの内側カバープレートの間に設けられた内側カバー成形品と、側壁プレートの外側カバープレートとベースプレートの下側カバープレートの間に設けられた外側カバー成形品とで覆われており、
前記外側カバー成形品は側壁プレートの外側カバープレート及び前記外側カバープレートと一体となるベースプレートの前面とに外側から接しており、
前記内側カバー成形品は側壁プレートの前記フォームが高い位置で終わっている内側カバープレートの内面に接し且つベースプレートの上側カバープレートの表面に接していることを特徴とする。
【０００７】
また本発明は上記の結合部の作製方法を提供するもので、側壁プレート及びベースプレートが組み立て部品として生産されたサンドイッチ構造のプレートであり、両プレートがつなぎ合わされた後に両プレート間の移行領域にフォームが充填される自由空間があり、フォームが充填される移行領域は、ベースプレートの上側カバープレートと側壁プレートの内側カバープレートの間に設けられた内側カバー成形品と、側壁プレートの外側カバープレートとベースプレートの下側カバープレートの間に設けられた外側カバー成形品とで覆われた、請求項１乃至１３の何れか一項に記載の結合部を利用する、大コンテナーの側壁プレートの下端と該側壁プレートと一体となるベースプレートの縦縁の間の結合部の作製方法であって、
夫々フォームが充填された状態の側壁プレートとベースプレートを用意し、
前記側壁プレートの内側カバープレートと外側カバープレートとの間にあるフォームは内側カバープレート寄りにおいて、内側カバープレートの下方縁部より高い位置で終わらせておき、
前記側壁プレートとベースプレートを装置内の適切な位置に位置させ、外側カバー成形品を、側壁プレートの外側カバープレート及びベースプレートの下側カバープレートに外側から接触するように配置して両カバープレートと結合し、
その後、内側カバー成形品を側壁プレートの内側カバープレート及びベースプレートの上側カバープレートに取り付け、その場合において側壁プレートのフォームが高い位置で終わっている内側カバープレートの内面に接する内側カバー成形品が構造物全体の範囲内に入るように側壁プレート、ベースプレート及び内側カバープレートの寸法を相対的に決定し、
その後、両カバー成形品と側壁プレート及びベースプレートの間の必須の結合を行い、次いで内側カバー成形品に設けた穴を通して液状の補強フォームまたはその成分を閉鎖されたまだ補強フォームの入っていない領域に入れ、その後補強フォームを硬化させて側壁プレート、ベースプレート及び両カバー成形品と堅固に結合させ、その後、開口部を、場合によりこの開口部内に留まる補強フォーム又は補強フォームの成分によって閉じることを特徴とする。
【０００８】
【実施例】
本発明につき図面を参照して詳細に説明する。図において、図１および４の各図は本発明の実施態様を示す。
【０００９】
大コンテナーの側壁１とベース２はそれぞれサンドイッチ構造のものであり、金属等からなる二つのカバープレートの間の空間には硬質フォームからなる芯が詰められている。硬質フォームブロックの両側にはカバープレートが張り付けられているか、或いは型内にカバープレートが入れられ、カバープレートと型部分で全ての側が閉じられた空間により限定された容積内に流動性のフォームの成分が入れられ、発泡せしめられ、硬質フォームからなる補強フォームが生ぜしめられ、カバープレートと堅固に結合せしめられる。
【００１０】
各図は、コンテナーの側壁１とベース２が交わる領域を示す。側壁プレート１は該側壁プレートの外側カバープレート３、該側壁プレートの内側カバープレート４及び前記カバープレート３、４間にある両カバープレート３、４と結合する硬質フォームからなる補強層５を備える。ベースプレート２は該ベースプレートの下側カバープレート６と、該ベースプレートの上側カバープレート７と、両カバープレート６、７間にある両カバープレート６、７と結合する硬質フォームからなる補強層８を備える。ベースプレート２は外側の横支持体９によって補強されている。上側ベースカバープレート７は縦リブ１０を備える。ベースプレート２及び側壁プレート１にはフォームが充填されているか、又は補強フォーム又は硬質フォーム層５ないしは８が設けられ、補強フォームないしは硬質フォーム層５ないしは８がそのときどきのプレート端部まで完全には達しないように、又はカバープレートが補強層を越えて所定長さだけ突き出るように構成されている。
【００１１】
上記のように準備された側壁プレート１とベースプレート２はコンテナーを構成するとき、所望の組み込みかたで型内に配置される。ベースプレート２にはコンテナーの縦方向にはしる壁１１が取り付けられる。本質的に垂直方向に下端から上方に向けて曲がった金属板１１ａ等が、横支持体９の前面に固定され、横支持体９の下端から横支持体を越えて上方にベースプレートの上側近くまでのびている。金属板１１ａの上端と側壁プレートの外側カバープレート３の下端の間にはＺ形に曲がった金属板１１ｂ等が組み込まれている。
【００１２】
ベースプレートの横支持体９の外側端部が側壁プレートの外側カバープレート３がはしっている垂直領域の内側で終わっているので、Ｚ形が選択される。部分１１ａ及び部分１１ｂを有する壁１１はベースプレート２の前面ないしはベースプレート補強層８と側壁プレート１ないしは側壁プレートの補強層５の間の自由空間１２のためのカバー成形品を形成する。
【００１３】
コンテナーの内側に対して自由空間１２が内側カバー成形品１３によって覆われる。この内側カバー成形品１３は上方脚部１３ａと下方脚部１３ｂを備える。上方脚部１３ａは縦リブ１４によって補強されている。下方脚部１３ｂは、上方脚部に対して、ベースプレートの上側カバープレート７の上方へ曲げられた平滑な縁７ａの方に向かうように約１３５°の鈍角を形成している。上方脚部１３ａの平滑な縁は側壁プレートの内側カバープレート４の後ろに位置する。それを可能にするために、側壁プレートの補強層５は側壁プレートの内側カバープレート４の下方縁部より高い位置で終わっており、一方側壁プレートの補強層５は側壁プレートの外側カバープレート３の下方縁部を越えて突き出しており、側壁プレートの外側カバー成形品１１の組み付け後に側壁カバー成形品１１の部分１１ｂにより側壁プレートの補強層５は隠蔽されるように構成されている。カバープレート１１、１３、側壁プレート１とベースプレート２の厚み並びに自由空間１２は内側カバー成形品１３が側壁プレート１とベースプレート２に対して配置されるとき、該内側カバー成形品が内側カバープレート４の後ろで且つベースプレートの上側カバープレート７の表面に持ってこられるように決定される。しかし、内側カバー成形品１３が側壁プレート及びベースプレートの端部から自由空間１２内に且つベースプレートの上側カバープレート７の縁部７ａを越えて進むことが好まれないときは、場合により内側カバー成形品１３の先を切ってもよい（ｋｉｐｐｅｎ）。内側カバー成形品１３が側壁プレート及びベースプレート１，２と堅固に結合されねばならないときは、カバー成形品１３の長さにわたり分配された開口１５に挿入したリベットを利用することができ、優先的に既知の爆発リベットを利用することができる。外側カバー成形品１１と側壁プレート１及びベースプレート２との結合は相応のまたはその他の合目的的な方法で行われる。ベースプレート２及び側壁プレート１がこのように外側カバー成形品１１及び内側カバー成形品１３を介して互いに結合されるときは、自由空間１２の端は適当な仮枠板（Ｓｃｈａｌｕｎｇｓｐｌａｔｔｅｎ）で閉じられ、自由空間にはフォームが充填される。このためにカバー成形品１１、１３の一つ、特に内側カバー成形品１３は、その長さにわたり分配された開口１５を備え、その開口１５を通して流動性のフォーム成分を自由空間１２内に入れることができ、その後発泡成分が発泡され、支持容易な硬質フォームへの硬化時に、カバー成形品１１、１３の内面及び補強層５、８の前面と堅固に結合される。これは、常に許容されるべき発泡圧によって、カバー成形品１１、１３の外側を支持することなく、または外側を支持して相応の形で行うことができる。
【００１４】
自由空間１２に入れた補強フォームを硬化させた後、側壁プレート１とベースプレート２の間の良好な角度的剛性（ｗｉｎｋｅｌｓｔｅｉｆｅ）を持った結合部が存在する。この結合部は、コンテナー輪郭に順応し、側壁プレート１及びベースプレート２のコンテナー輪郭を越えて突き出ることはほとんどなく、不潔なものの付着（Ｓｃｈｍｕｔｚｎａｓａｔｚ  ）の原因となる箇所はごく僅かしかなく、停滞する湿気を発生させることはない。空間１２にフォームを充填した後、開口１５は閉鎖されるとき、前記のことに関して考慮すべきである。最も単純な状態で、既知の方法で、産み出される硬質フォーム自身によってそれは生じる。
【００１５】
図２に示す実施態様は図１の実施態様と内側カバー成形品１３の構成及び側壁プレートの内側カバープレート４及びベースプレートの上側カバープレート７の縁領域の構成が異なる。内側カバー成形品１３の両脚部１３ａおよび１３ｂが直角をなしている。しかも上方脚部１３ａは側壁プレートの内側カバープレート４の後ろにあり、その縁部４ａは側壁プレートの内側領域の方へ引っ込められており、内側カバー成形品１３と側壁プレート１の間の固定手段（開口１５に挿入したリベット）が、縁領域４ａは別として側壁プレートの内側カバープレート４が位置する面より突き出すことはないように構成されている。
【００１６】
上方のベースカバープレート７の縁領域７ａは上方に向けて段部を形成しており、内側カバー成形品１３の下方の水平な脚部１３ｂが前記段部の上方の水平なフランジの上に載り、且つベースプレート２の縦リブ１０の頭部の上側によって決定される水平面の幾分下方にある面に位置している。
【００１７】
内側カバー成形品１３と側壁プレート１の結合は図１の実施態様と同様に前述の開口１５に挿入したリベットによって行われる。内側カバー成形品１３とベースプレート２の間の結合は内側カバー成形品の下方の水平な脚部１３ｂの前面とベースプレートの上側カバープレート７の縁領域７ａの上方の水平なフランジの内側端部近くと上方の水平なフランジとベースプレートの上側カバープレート７の間の垂直橋部の前の溶接継ぎ目１６によって行われる。
【００１８】
型、作用、及び長所に関しては図２の実施例は図１の実施例と同一である。
【００１９】
図３の実施例は図２の実施例の変形である。内側カバー成形品１３の垂直脚部１３ａはフォーク状部に形成され、フォーク状部内に側壁プレートの内側カバープレート４の下方縁領域が差し込まれている。前記下方縁領域のフォーク状部内への挿入は不可欠な長さ又は高さにわたり、本質的に遊びのないように行われ、側壁プレート１と内側カバー成形品１３は特別の固定手段なしに互いに結合される。側壁プレートの内側カバープレート４及びその、フォーク状部により少なくとも本質的な部分的に受け入れられる縁領域４ａが適当な距離だけプレートの内側に引っ込んでいる限り、フォーク状部の外側の舌状部１７は、側壁プレートの内側カバープレート４が位置する面内にある。この舌状部１７の上方の縁は、それが側壁プレートの内側カバープレートと共にパッキング紐（Ｄｉｃｈｔｓｃｈｎｕｒ  ）を入れる溝を構成するように幾分外方へ湾曲している。この点において従来技術として説明したコーナーの結合部との一致があっても、水分がフォーク状部と差し込まれる側壁プレートの内側カバープレートとにより形成されるラビリンスパッキングに遭遇すると、ラビリンスバッキングそれ自体壁内部への水分の進入に対するある種の保護を困難にし、又は充分に妨げるので、従来技術に比して著しい利点が得られる。従来技術においてはパッキング紐付の溝は許容することはできないのに対して、この解決法は断念できるか、或いはケースバイケースの決定の対象になるある種の事故の小さな不利益を甘受したできるだけ大きな安全性の選択である。
【００２０】
内側カバー成形品１３の水平な脚部１３ｂは、内側カバー成形品１３の水平な脚部１３ｂが上方へ向く枠縁（Ｒａｎｄｌｅｉｓｔｅ）１９で終わっている図２の実施例とは対象的に、平滑に溶接継ぎ目１６で終わっている。
【００２１】
図４の実施例の場合、図１の実施態様と同様に、内側カバー成形品１３の上方の垂直な脚部１３ａが形成されており、側壁プレートの内側カバープレート４と結合されている。それに対して内側カバー成形品１３の下方の水平な脚部１３ｂは舌状部１７、１８を有するフォーク状部として形成され、図２、３に示すようにベースプレートの上側カバープレート７の上方へ段状に直角に曲がった縁領域７ａを極端な遊びなしに受け入れるように構成されている。しかし、舌状部１７、１８を有するフォーク状部は縁領域７ａまたはその上方の水平な部分を比較的短い長さで把持するので、舌状部１７は溶接継ぎ目１６によって上方のベースカバープレートに溶接される。
【００２２】
【発明の効果】
以上詳細に説明したように本発明に係る大コンテナーの側壁プレートとベースプレートの間の結合部は、外側カバー成形品１１は側壁プレートの外側カバープレート３及び該外側カバープレートと一体となるベースプレート２の前面に外側から接しており、内側カバー成形品１３は側壁プレートの内側カバープレート４の内面に接し且つベースプレートの上側カバープレート７の表面に接しているので、コンテナー輪郭に順応し、側壁プレート１及びベースプレート２のコンテナー輪郭を越えて側壁プレート１とベースプレート２の間の結合部が突き出ることはなく、不潔なもの付着の原因となる箇所はごく僅かしかなく、よどむ湿気を発生させることのない利点を有する。
【図面の簡単な説明】
【図１】本発明の第１の実施例の断面図である。
【図２】本発明の第２の実施例の断面図である。
【図３】本発明の第３の実施例の断面図である。
【図４】本発明の第４の実施例の断面図である。
【符号の説明】
１  側壁プレート
２  ベースプレート
３  側壁プレートの外側カバープレート
４  側壁プレートの内側カバープレート
５  硬質フォームからなる補強層
６  ベースプレートの下側カバープレート
７  ベースプレートの上側カバープレート
８  硬質フォームからなる補強層
９  横支持体
１０  縦リブ
１１  コンテナーの縦方向にはしる壁
１２  自由空間
１３  内側カバー成形品
１４  縦リブ
１５  開口
１６  溶接継ぎ目
１７  舌状部
１８  舌状部
１９  枠縁
４ａ  縁部
７ａ  平滑な縁
１１ａ  金属板
１１ｂ  金属板
１３ａ  上方脚部
１３ｂ  下方脚部
【図１】
0003583797.tif 000002
【図２】
0003583797.tif 000003
【図３】
0003583797.tif 000004
【図４】
0003583797.tif 000005